(57)【特許請求の範囲】
【請求項１】
本体と、前記本体に回転自在に支承され、開位置と閉位置との間を回動自在なカバー部材とを具備し、前記カバー部材が前記閉位置に回動したときに、前記本体と前記カバー部材との間には、外部よりカートリッジの挿入を許容する開口が形成されるようになっており、
前記カバー部材は、前記開位置へと回動する際に、前記本体と前記カバー部材との間に挿入されたカートリッジを保持し、一体的に回動させるカートリッジ保持部を形成し、
前記カバー部材が前記開位置へと回動したときに、前記本体と前記カバー部材との間にシート状部材を配置し又はそこから取り出すことができ、更に前記カバー部材は、前記閉位置へと回動したときに、前記本体と前記カバー部材との間に配置されたシート状部材を保持するシート状部材保持部を形成し、
前記シート状部材には、前記シート状部材保持部に対応した切欠が設けられており、前記カバー部材が前記閉位置へと回動したときに、前記シート状部材保持部が前記切欠内に進入し、それにより前記カートリッジ用収納ケースから前記シート状部材が離脱することを防止するようになっていることを特徴とするカートリッジ用収納ケース。
【請求項２】
前記カバー部材が前記閉位置に回動したときに、前記カバー部材の側面と前記本体の側面との間に溝が形成されるようになっていることを特徴とする請求項１に記載のカートリッジ用収納ケース。
【請求項３】
前記カバー部材が閉位置に回動したときに、前記本体に対して回動することを防止するロック部材が形成されていることを特徴とする請求項１または２に記載のカートリッジ用収納ケース。
【請求項４】
挿入されるカートリッジには凹部が形成されており、前記カバー部材には、カートリッジが挿入されたときに前記凹部と係合する凸部と、記凹部と係合した前記凸部に弾性力を付与し、それによりカートリッジの抜け防止を図る付勢部材とが設けられていることを特徴とする請求項１乃至３のいずれかに記載のカートリッジ用収納ケース。
【請求項５】
前記カバー部材と前記本体との少なくとも一方には、押し出し開口が形成されており、前記カートリッジ収納ケースからカートリッジを離脱させる際に、離脱させる力を前記押し出し開口を介して前記カートリッジに伝達できるようになっていることを特徴とする請求項１乃至４のいずれかに記載のカートリッジ用収納ケース。
【請求項６】
前記本体には、前記カートリッジ用収納ケースにカートリッジが挿入される際に、前記カバー部材に対してカートリッジの進入を規制する係止部が設けられていることを特徴とする請求項１乃至５のいずれかに記載のカートリッジ用収納ケース。
【請求項７】
前記シート状部材保持部が前記開口側において切欠き部を有し、前記シート状部材は前記切欠き部に対応して耳部を有し、前記カバー部材が前記閉位置に回動したときに、前記本体と前記カバー部材の側面の端部との間に前記耳部を挟む請求項１に記載のカートリッジ用収納ケース。
【請求項８】
請求項１乃至７のいずれかに記載のカートリッジ用収納ケースに収納されたカートリッジ。
【発明の詳細な説明】
【０００１】
【発明の属する技術分野】
本発明は、カートリッジ用の収納ケースに関し、特に光ディスクや光磁気ディスク等の記録媒体を収納したカートリッジ用の収納ケースに関する。
【０００２】
【従来の技術】
近年において、音楽録音やデータストレージ等の用途に用いられようになったミニディスクは、記録媒体であるディスク部を樹脂製のカートリッジ内に格納している。図１２，１３は、かかるミニディスクＭの一例を示す図であり、図１２はその上面図、図１３はその下面図である。円盤状のディスク部Ｄは、薄いボックス状のカートリッジＣにより保護されている。また、ミニディスクＭは、記録・再生装置の受け入れスロット（不図示）に対する挿入方向が定まっており、かかる挿入方向は、図１２においては上方であり、図１３においては下方である。図１３中、カートリッジＣの下端近傍に形成された凹部Ｃ１，Ｃ２に、記録・再生装置の爪部（不図示）が係合して、ミニディスクＭを装置内部へと搬送するようになっている。
【０００３】
【発明が解決しようとする課題】
ところで、ミニディスクＭに音楽や情報を記録した場合、記録した曲名や内容を記載したインデックスカードをミニディスクＭに付帯させることが一般的に行われている。そのようにして記載されたインデックスカードは、ミニディスクＭと共に保存される。
【０００４】
しかしながら、ミニディスクＭは収納ケースに収納されて保存されることが多いため、カートリッジＣにインデックスカードが貼り付けられると、収納ケースに対して出し入れされる際にその記載部分が擦れ、あるいは汚れてしまい、長期間の使用によりその記載が不明瞭となる恐れがある。又、記録・再生装置にミニディスクＭを挿入したときに、カートリッジＣからインデックスカードが剥がれて、記録・再生装置の機能を損なう恐れもある。そこで、一般的にインデックスカードは、ミニディスクＭが収納される収納ケースに付帯するようにしている。
【０００５】
上述したごとくインデックスカード（ラベル）を付帯する収納ケースは、たとえば特開平５−２７８７７２号、及び特開平９−２２６８７３号に開示されている。しかしながら、かかる従来技術の収納ケースにおいては、以下に述べるような問題がある。
【０００６】
まず、特開平５−２７８７７２号に開示された収納ケースはスリーブ状であるため、その内部の適切な位置にインデックスカードを配置することは困難である。従って、かかるスリーブ状の収納ケースにおいては、収納ケース表面にインデックスラベルを貼り付け、そこに曲名や情報を記載するようにしている。ところが、このように収納ケース表面にインデックスラベルを貼り付けると、同様に記載部分の擦れ、汚れが生じる恐れがある。加えて、このようなミニディスクの販売時には、インデックスカードやラベルは、収納ケースやミニディスク自体に未だ貼り付けられておらず、その接着面を覆った状態でコの字状に折り曲げられて、ミニディスクが収納された収納ケースの開口をふさぐようにしてセットされ、その上から包装フィルムでラッピングされることにより、収納ケースとの分離が防止されている。従って、かかるミニディスクを購入したユーザーが、包装フィルムを一旦破ってしまうと、インデックスカードやラベルは、収納ケースやミニディスクと分離してしまうので、そこに予め貼り付けておかない限り、その保管に不便であり、また紛失の恐れも大きいといえる。
【０００７】
一方、特開平９−２２６８７３号に開示された収納ケースは、収納ケース内部にインデックスカードを収納できるよう、蓋体を本体に対して回動可能に構成しているので、上述のような問題は生じない。しかしながら、かかる従来技術の構成は、ミニディスクを収納ケース内に収納した状態では蓋体が開かないようになっており、かかる状態ではインデックスカードを取り出すことができず、無理に取り出そうとすると収納ケースを破損する恐れがある。従って、インデックスカードを収納ケースから取り出すために、いちいちミニディスクを引き出さねばならず、取り扱いに不便である。
【０００８】
本発明は、かかる従来技術の問題点に鑑み、インデックスカードを取り出しやすく、取り扱いに優れたカートリッジ用収納ケース、及びかかる収納ケースに収納されるカートリッジを提供することを目的とする。
【０００９】
【課題を解決するための手段】
上述の目的を達成すべく、本発明のカートリッジ用収納ケースは、本体と、前記本体に回転自在に支承され、開位置と閉位置との間を回動自在なカバー部材とを具備し、前記カバー部材が前記閉位置に回動したときに、前記本体と前記カバー部材との間には、外部よりカートリッジの挿入を許容する開口が形成されるようになっており、 前記カバー部材は、前記開位置へと回動する際に、前記本体と前記カバー部材との間に挿入されたカートリッジを保持し、一体的に回動させるカートリッジ保持部を形成し、前記カバー部材が前記開位置へと回動したときに、前記本体と前記カバー部材との間にシート状部材を配置し又はそこから取り出すことができ、更に前記カバー部材は、前記閉位置へと回動したときに、前記本体と前記カバー部材との間に配置されたシート状部材を保持するシート状部材保持部を形成し、前記シート状部材には、前記シート状部材保持部に対応した切欠が設けられており、前記カバー部材が前記閉位置へと回動したときに、前記シート状部材保持部が前記切欠内に進入し、それにより前記カートリッジ用収納ケースから前記シート状部材が離脱することを防止するようになっていることを特徴とする。
【００１０】
【作用】
本発明のカートリッジ用収納ケースによれば、前記カバー部材が前記閉位置に回動したときに、前記本体と前記カバー部材との間には、外部よりカートリッジの挿入を許容する開口が形成されるようになっており、更に前記カバー部材が、前記開位置へと回動する際に、前記本体と前記カバー部材との間に挿入されたカートリッジを保持し、一体的に回動させるカートリッジ保持部を形成しているので、前記カバー部材を回動させることにより、収納ケース内に収納されたカートリッジも回動するので、たとえばカートリッジと本体との間にインデックスカードが配置されていたとしても、カートリッジを抜き出すことなくインデックスカードの取り出しが可能となる。 
【００１１】
また、前記カバー部材が前記開位置へと回動したときに、前記本体と前記カバー部材との間にシート状部材を配置し又はそこから取り出すことができ、更に前記カバー部材は、前記閉位置へと回動したときに、前記本体と前記カバー部材との間に配置されたシート状部材を保持するシート状部材保持部を形成することが好ましい。
【００１２】
また、前記シート状部材には、前記シート状部材保持部に対応した切欠が設けられており、前記カバー部材が前記閉位置へと回動したときに、前記シート状部材保持部が前記切欠内に進入し、それにより前記カートリッジ用収納ケースから前記シート状部材が離脱することを防止するようにできる。
【００１３】
また、前記カバー部材が前記閉位置に回動したときに、前記カバー部材の側面と前記本体の側面との間に溝を形成するようにできる。
【００１４】
また、前記カバー部材が閉位置に回動したときに、前記本体に対して回動することを防止するロック部材を形成することができる。
【００１５】
また、挿入されるカートリッジには凹部が形成されており、前記カバー部材には、カートリッジが挿入されたときに前記凹部と係合する凸部と、記凹部と係合した前記凸部に弾性力を付与し、それによりカートリッジの抜け防止を図る付勢部材とを設けることができる。
【００１６】
また、前記カバー部材と前記本体との少なくとも一方には、押し出し開口が形成されており、前記カートリッジ収納ケースからカートリッジを離脱させる際に、離脱させる力を前記押し出し開口を介して前記カートリッジに伝達できるようにできる。
【００１７】
また、前記本体には、前記カートリッジ用収納ケースにカートリッジが挿入される際に、前記カバー部材に対してカートリッジの進入を規制する係止部が設けることができる。
【００１８】
また、前記シート状部材保持部が前記開口側において切欠き部を有し、前記シート状部材は前記切欠き部に対応して耳部を有し、前記カバー部材が前記閉位置に回動したときに、前記本体と前記カバー部材の側面の端部との間に前記耳部を挟むようにできる。これにより、シート状部材が開口近傍で浮き上がってしまうことを防止できる。
【００１９】
また、上述のような収納ケースにカートリッジを収納することにより、カートリッジの収納された収納ケースを提供することができる。
【００２０】
【発明の実施の形態】
以下、本発明による実施の形態を、図面を参照して説明する。
図１及び２は、ミニディスクを収納可能な本実施の形態にかかる収納ケースを示す斜視図であり、図１はカバー部材を閉めた状態（すなわち、カバー部材が閉位置にある状態）を示し、図２はカバー部材を開けた状態（すなわち、カバー部材が開位置にある状態）を示す図である。
【００２１】
図１，２において、薄いボックス状の収納ケース１０は、カバー部材２０と、かかるカバー部材２０と別部品である本体３０とからなる。図１に示すように収納ケース１０は、カバー部材２０を閉めた状態でも、ミニディスクＭ（図１１，１２）を出し入れ可能な開口ＯＰを、その前面に形成している。尚、本体３０及びカバー部材２０は、ポリカーボネート、ポリスチレン、アクリル、ＡＳ樹脂など透明性を有する樹脂から形成されると好ましい。
【００２２】
図３はカバー部材２０のみを示す斜視図であり、図４は本体３０のみを示す斜視図であり、図５はカバー部材２０を裏返しにしてその下面を見た斜視図である。図４を参照して、まず本体３０から説明する。本体３０は、矩形状の底壁３１と、底壁３１の一辺に結合した左側側壁３１と、それに対向する一辺に結合した右側側壁３２と、更に底壁３１の一辺に結合し両側壁に直交する奥壁３３とから一体的に形成されている。底壁３１は、奥壁３３の結合する一辺に対向する辺（以下、開口側辺と称する）に矩形状の切欠部３１ａを形成している。更に底壁３１は、右側側壁３２と左側側壁３３の近傍において、薄く細長い形状のくぼみ３１ｂ、３１ｃをそれぞれ形成している。加えて、底壁３１は、奥壁３４近傍において、側壁３２，３３にそれぞれ平行に延在する板部３１ｆ、３１ｇを形成している。なお、底壁３１の開口側辺近傍は、わずかに高くなって段部３１ｄを形成している。
【００２３】
側壁３２，３３は、開口側辺に近い端部に袋孔３２ａ、３３ａを形成している。奥壁３４の上縁には、棒状の支持部材３４ａがその全幅にわたって形成されており、その両端には袋孔３４ｂ（一方の図示）が形成されている。尚、支持部材３４ａは奥壁３４から開口側辺に向かって張り出した係止部３４ｃを有する。
【００２４】
次に、図３及び、特に図５を参照して、カバー部材２０について説明する。カバー部材２０は、矩形状の上壁２１と、上壁２１に結合した２つの側壁２２，２３とからなる。上壁２１は、本体３０（図４）の開口側辺に向かい合う辺（開口側辺）に矩形状の切欠部２１ａを形成し、かつその中央近傍に押し出し開口２１ｂを形成している。押し出し開口２１ｂは、手の指を挿入できる程度の大きさに形成されている。尚、押し出し開口２１ｂはミニディスクＭの抜き出し時に便利なものであるが、切欠部２１ａから露出したミニディスクＭを指で把持でき、それによりミニディスクＭを抜き出すことが可能となるので、押し出し開口２１ｂは必ずしも必要なものではないといえる。
【００２５】
側壁２２，２３は、上壁２１の対向する二辺の近傍に結合しており、従って上壁２１は、側壁２２，２３より外方に延在する張り出し部２１ｃ、２１ｄを有している。段部となる張り出し部２１ｃ、２１ｄにおける、開口側辺と反対側の端部には、瘤状の支持部２１ｅ、２１ｆが形成されており、更に支持部２１ｅ、２１ｆには、互いに対向する短円筒状の軸部２１ｇ、２１ｈが形成されている。軸部２１ｇ、２１ｈの先端はわずかにテーパー状となっている。なお、支持部２１ｅ、２１ｆは、細長いアーム２１ｉ、２１ｊにより上壁２１に連結されている。
【００２６】
側壁２２，２３は、その下縁（図５では上縁）に互いに対向した細長い板部２２ａ、２３ａを形成している。更に側壁２２，２３は、開口側辺と反対側の端部に、片持ちアーム２２ｂ、２３ｂを結合している。アーム２２ｂ、２３ｂの先端には、隆起部２２ｃ、２３ｃが形成されている。また側壁２２、２３は、開口側辺に近い端部近傍において、互いに離隔する方向に突出した凸部２２ｄ（図５）、２３ｄ（図３）を形成している。
【００２７】
図６は、カバー部材２０を閉じた状態で示す収納ケース１０の上面図であり、図７は、図６の収納ケース１０をＶＩＩ−ＶＩＩ線で切断して矢印方向に見た図であり、図８は、図６の収納ケース１０をＶＩＩＩ−ＶＩＩＩ線で切断して矢印方向に見た図であり、図９は、図６の収納ケース１０をＸＩ−ＸＩ線で切断して矢印方向に見た図である。尚、図７，８においては本体３０の側壁３２周辺のみを示しているが、側壁３３側についても構成は同様である。
【００２８】
図７に示すように、カバー部材２０を閉じた状態では、その側壁２２に形成された板部２２ａは、本体３０のくぼみ３１ｂに当接するようになっている。又、収納ケース内に二点鎖線で示すように挿入されたミニディスクＭは、板部２２ａと上壁２１との間に支持されるようになっている。板部２２ａ（２３ａ）の上面がカートリッジ保持部を構成し、板部２２ａ（２３ａ）の下面がシート状部材保持部を構成する。
【００２９】
更に図８に示すように、ミニディスクＭが収納ケース内に挿入された場合、その凹部Ｃ２内に、凸部である隆起部２２ｃが進入するようになっている。図８に示す断面においては、カバー部材２０に板部３１ｆが当接して互いの間を密閉している。その理由は、カバー部材２０に隆起部２２ｃを設けたため、板部３１ｆをカバー部材２０に形成すると型が複雑となってコストが上昇するからである。尚、図７，８から明らかであるが、カバー部材２０の張り出し部２１ｃと本体３０との間には、断面が矩形状の溝Ｇが形成されるようになっている。
【００３０】
図９に示すように、ミニディスクＭが収納ケース内に挿入された場合、その内方端は本体３０の係止部３４ｃに当接し、それ以上内方に進入できないようになっている。
【００３１】
図１０は、本実施の形態にかかる収納ケース１０に使用可能なインデックスカードを示す斜視図であり、図１１はその変形例を示す斜視図である。図１０において、シート状部材であるインデックスカードＩＤは、１枚の矩形紙を折り曲げたものであり、細長い背表紙部ＩＤａと、広い記載部ＩＤｂとからなる。
【００３２】
図１に示すごとく本体３０とカバー部材２０とを組み立てる場合には、アーム２１ｉ、２１ｊ（図５）を弾性変形させつつ、カバー部材２０の軸部２１ｇ、２１ｈ（図５）を本体３０の袋孔３４ｂ（図４）に嵌合させる。このようにすることにより、カバー部材２０は本体３０に対して、軸部２１ｇ、２１ｈ周りに回動自在となる。
【００３３】
次に、収納ケース１０内にインデックスカードを収納する場合における、本実施の形態の動作について説明する。まず図２に示すように、本体３０に対してカバー部材２０を開いた位置へと回動させる。続いて、図１０に示すインデックスカードＩＤを、背表紙ＩＤａが本体３０の側壁３４（図４）に対向するようにして挿入する。かかる状態から、カバー部材２０を図１に示す閉じた位置へと回動させれば、インデックスカードの収納が完了する。カバー部材２０が閉じた状態では、カバー部材２０の凸部２２ｄ（図５）、２３ｄ（図３）が、本体３０の袋孔３２ａ、３３ａに係合しており、カバー部材２０は本体３０に対して不用意に回動することはない。一方、かかるインデックスカードを取り出そうとする場合、この逆の操作をすればよい。尚、凸部２２ｄ、２３ｄ及び袋孔３２ａ、３３ａがロック部材を構成する。
【００３４】
以上の動作は、収納ケース１０にミニディスクＭが収納されているか否かに関わらず可能である。ミニディスクＭはカバー部材２０と共に回動するため、インデックスカードの出し入れを邪魔しないからである。尚、本体３０及びカバー部材２０は、透明性のある樹脂から形成されているので、インデックスカードＩＤの背表紙ＩＤａ及び記載部ＩＤｂに記載された文字を、ユーザーは収納ケース１０の外部から読みとることができる。
【００３５】
本実施の形態においては、インデックスカードＩＤを本体３０内に配置し、カバー部材２０を閉じることにより、図７に示すように、かかるインデックスカードＩＤは、その側縁がカバー部材２０の板部２２ａにより本体３０のくぼみ３１ｂに押しつけられて固定される。従って、収納ケース１０内にミニディスクが収納されていない場合でも、インデックスカードＩＤはしっかり固定され、不用意に収納ケース１０から開口ＯＰ（図１）を介して落下することはない。尚、板部２２ａによりくぼみ３１ｂに押しつけられた際、インデックスカードＩＤの側縁が若干折れ曲がるが、くぼみ３１ｂは浅いためインデックスカードＩＤが破れることはない。
【００３６】
若干でもインデックスカードが折れ曲がることを嫌う場合には、図１１に示すようなインデックスカードＩＤ’を用いればよい。図１１に示すインデックスカードＩＤ’は、図１０の示すものと類似しているが、記載部ＩＤｂの両側縁に矩形状の切欠ＩＤｃを形成している点が異なっている。切欠ＩＤｃは、本体３０のくぼみ３１ｂとほぼ同じ形状を有しているため、インデックスカードＩＤ’を本体３０内に配置し、カバー部材２０を閉じることにより、切欠ＩＤｃ内にカバー部材２０の板部２２ａが入り込むようになっている。従って、カバー部材２０を閉じても、インデックスカードＩＤ’は折れ曲がることなく、板部２２ａに切欠ＩＤｃが引っかかるようになるため、収納ケース１０内にミニディスクが収納されていない場合でも、不用意に収納ケース１０から開口ＯＰを介して落下することはない。
【００３７】
次に、収納ケース１０内にミニディスクＭを収納する場合における、本実施の形態の動作について説明する。本実施の形態にかかる収納ケース１０においては、従来技術によるスリーブタイプと同様に、カバー部材２０を閉じた状態でミニディスクＭを出し入れ自在となっている。上述したように、ミニディスクＭが収納ケース１０内に挿入された場合、その内方端は本体３０の係止部３４ｃ（図９）に当接し、それ以上内方に進入できないようになっている。ミニディスクＭを、その内方端が側壁３４に当たるまで進入させるようにすると、かかる状態ではカバー部材２０が開かなくなる恐れがあり、また無理に開くことにより収納ケースを破損させる恐れがあるからである。
【００３８】
又、カバー部材２０を閉じた状態でミニディスクＭが収納ケース１０に挿入されるとき、予め内部に配置されたインデックスカードＩＤが収納ケース１０の進入を阻止しないように、本体３０の開口側に形成された段部３１ｄが、インデックスカードＩＤが配置される底壁３１からカード厚さ分だけ高くなっている。
【００３９】
カバー部材２０を閉じた状態で、ミニディスクＭを収納ケース１０から取り出す場合には、ユーザーが、カバー部材２０の押し出し開口２１ｂから露出したミニディスクＭに、その手の指を押し当てて押し出すようにするか、中央切欠２１ａ、３１ａから露出したミニディスクＭを把持して引き出すようにすればよい。
【００４０】
なお、カバー部材２０を開いた状態で、ミニディスクＭを、カバー部材２０の下面に沿って挿入することもできる。かかる場合、ミニディスクＭの内方端が係止部３４ｃ（図９）に当接し、かつその凹部Ｃ１，Ｃ２が、カバー部材２０の隆起部２２ｃ、２３ｃにそれぞれ係合し、ミニディスクＭがカバー２０に保持される。
【００４１】
本実施の形態においては更に、カバー部材２０を閉じた状態で、本体３０の側面とカバー部材２０の側面との間には、図７，８に示すように溝Ｇ（すなわち隙間）が形成されている。従って、この溝Ｇを用いることにより、たとえば特開平８−２９５３８５号に開示されているような、複数の収納ケースを収納する容器に、本実施の形態の収納ケースを１０を収納することができる。
【００４２】
次に、本実施の形態の変形例について説明する。この変形例の収納ケースは、図１４のようにカバー部材２０のミニディスクを保持する保持部２２ａ、２３ａの開口部側を切り欠き、これに対応する本体３０のくぼみ３１ｂ、３１ｃの一部を平坦にしたものであるので、異なる部分のみ説明する。なお、この変形例の収納ケースでは、押し出し開口は省略している。
【００４３】
図１６に示すように、シート状部材保持部を構成する板部２２ａ、２３ａの開口部側の一部を切り欠いて切欠き部２６，２７を形成している。また、図１５のように、切り欠き部２６，２７に対応して本体３０のくぼみ３１ｂ，３１ｃに近接して平坦部３１ｍ，３１ｎが形成されている。図１７に示すインデックスカードＩＩＤは、図１１のものに、耳部ＩＤｄを両端に設けたものである。
【００４４】
図１７のインデックスカードＩＩｄを図１４の収納ケースに収納し、カバー部材を閉じると、図１８のように、インデックスカードＩＩＤの耳部ＩＤｄがカバー部材の側壁２２の先端２９と平坦部３１ｍとの間に挟まれ、インデックスカードを確実に開口側で保持する。図１１のインデックスカードＩＤ’によると、カバー部材が閉じられても、開口側で押さえ付けられないので、インデックスカードが浮き上がってしまう。この浮き上がりが図１９に示す段差ｄｄ以下ならばよいが、段差ｄｄ以上になると、ミニディスクを収納する際にインデックスカードにひっかかって挿入できなくなってしまうのであるが、本変形例によれば、開口近傍において本体とカバー部材の側壁の先端との間でインデックスカードの耳部を挟み込むので、開口におけるインデックスカードの浮き上がりを防止することができる。
【００４５】
以上、本発明を実施の形態を参照して説明してきたが、本発明は上記実施の形態に限定して解釈されるべきではなく、適宜変更・改良が可能であることはもちろんである。たとえば本発明は、ミニディスクに限らずＣＤや他のカートリッジを収納する収納ケースに適用可能である。
【００４６】
【発明の効果】
本発明のカートリッジ用収納ケースによれば、カバー部材が閉位置に回動したときに、本体と前記カバー部材との間には、外部よりカートリッジの挿入を許容する開口が形成されるようになっており、更に前記カバー部材が、開位置へと回動する際に、前記本体と前記カバー部材との間に挿入されたカートリッジを保持し、一体的に回動させるカートリッジ保持部を形成しているので、前記カバー部材を回動させることにより、収納ケース内に収納されたカートリッジも回動するので、たとえばカートリッジと本体との間にインデックスカードが配置されていたとしても、カートリッジを抜き出すことなくインデックスカードの取り出しが可能となる。
【図面の簡単な説明】
【図１】ミニディスクを収納可能な本実施の形態にかかる収納ケースを示す斜視図であり、カバー部材を閉めた状態を示す図である。
【図２】ミニディスクを収納可能な本実施の形態にかかる収納ケースを示す斜視図であり、カバー部材を開けた状態を示す図である。
【図３】カバー部材２０のみを示す斜視図である。
【図４】本体３０のみを示す斜視図である。
【図５】カバー部材２０を裏返しにしてその下面を見た斜視図である。
【図６】カバー部材２０を閉じた状態で示す収納ケース１０の上面図である。
【図７】図６の収納ケース１０をＶＩＩ−ＶＩＩ線で切断して矢印方向に見た図である。
【図８】図６の収納ケース１０をＶＩＩＩ−ＶＩＩＩ線で切断して矢印方向に見た図である。
【図９】図６の収納ケース１０をＸＩ−ＸＩ線で切断して矢印方向に見た図である。
【図１０】本実施の形態にかかる収納ケース１０に使用可能なインデックスカードを示す斜視図である。
【図１１】本実施の形態にかかる収納ケース１０に使用可能なインデックスカードの変形例を示す斜視図である。
【図１２】ミニディスクＭの一例の上面を示す図である。
【図１３】ミニディスクＭの一例の下面を示す図である。
【図１４】本実施の形態の変形例によるカバー部材を開けた状態の収納ケースの斜視図である。
【図１５】図１４の収納ケースの本体の斜視図である。
【図１６】図１４の収納ケースのカバー部材の斜視図である。
【図１７】図１４の収納ケースに用いることのできるインデックスカードの斜視図である。
【図１８】図１４の収納ケースを閉じた状態で開口近傍における図７と同様の断面図である。
【図１９】図１５のＤＤ−ＤＤ線方向に見た本体の断面図である。
【符号の説明】
１０                        収納ケース
２０                        カバー部材
２１ｇ、２１ｈ              軸部
２２ａ、２３ａ              板部
３０                        本体
３１ｂ                      くぼみ
３４ｂ                      袋孔
ＩＤ、ＩＤ’、ＩＩＤ        インデックスカード
Ｍ                          ミニディスク
【図１】
0003654561.tif 000002
【図２】
0003654561.tif 000003
【図３】
0003654561.tif 000004
【図４】
0003654561.tif 000005
【図５】
0003654561.tif 000006
【図６】
0003654561.tif 000007
【図７】
0003654561.tif 000008
【図８】
0003654561.tif 000009
【図９】
0003654561.tif 000010
【図１０】
0003654561.tif 000011
【図１１】
0003654561.tif 000012
【図１２】
0003654561.tif 000013
【図１３】
0003654561.tif 000014
【図１４】
0003654561.tif 000015
【図１５】
0003654561.tif 000016
【図１６】
0003654561.tif 000017
【図１７】
0003654561.tif 000018
【図１８】
0003654561.tif 000019
【図１９】
0003654561.tif 000020